【手続補正書】
【提出日】平成18年5月16日(2006.5.16)
【手続補正１】
【補正対象書類名】明細書
【補正対象項目名】特許請求の範囲
【補正方法】変更
【補正の内容】
【特許請求の範囲】
【請求項１】
基準信号を周波数掃引または電力掃引させながら被測定物に印加する事により被測定物の網特性を解析する網解析装置において、
前記基準信号の掃引範囲および掃引間隔を入力するための第一の入力手段と、
前記被測定物を合否判定するための判定円の中心座標と半径を入力するための第二の入力手段と、
入力される前記中心座標を記憶する第一の記憶手段と、
入力される前記半径を記憶する第二の記憶手段と、
前記被測定物の網特性を測定し、前記掃引範囲と前記掃引間隔とから決定される測定点数個の測定値を得る測定手段と、
前記測定点数個の要素を有し、得られる前記測定値が該要素のそれぞれに格納される配列を記憶する第三の記憶手段と、
前記第三の記憶手段から前記測定値を読み出し、前記第一の記憶手段から前記中心座標を読み出し、前記読み出した測定値と前記読み出した中心座標との差分値を求め、さらに前記第二の記憶手段から前記半径を読み出し、前記差分値と前記読み出した半径とを参照して、前記参照する差分値の大きさが前記参照する半径以下または前記参照する半径未満であれば前記読み出した測定値を合格と判定する判定手段と、
を備えることを特徴とする網解析装置。
【請求項２】
基準信号を周波数掃引または電力掃引させながら被測定物に印加する事により被測定物の網特性を解析する網解析装置において、
前記基準信号の掃引範囲および掃引間隔を入力するための第一の入力手段と、
前記被測定物を合否判定するための判定円の中心座標と半径を入力するための第二の入力手段と、
入力される前記中心座標を記憶する第一の記憶手段と、
前記掃引範囲と前記掃引間隔とから決定される測定点数個の要素を有し、入力される前記半径が該要素のそれぞれに格納される配列を記憶する第二の記憶手段と、
前記被測定物の網特性を測定し、前記測定点数個の測定値を得る測定手段と、
前記測定点数個の要素を有し、得られる前記測定値が該要素のそれぞれに格納される配列を記憶する第三の記憶手段と、
前記第三の記憶手段から前記測定値を読み出し、前記第一の記憶手段から前記中心座標を読み出し、前記読み出した測定値と前記読み出した中心座標との差分値を求め、さらに前記読み出した測定値に関連する前記半径を前記第二の記憶手段から読み出し、前記差分値と前記読み出した半径とを参照して、前記参照する差分値の大きさが前記参照する半径以下または前記参照する半径未満であれば前記読み出した測定値を合格と判定する判定手段と、
を備えることを特徴とする網解析装置。
【請求項３】
基準信号を周波数掃引または電力掃引させながら被測定物に印加する事により被測定物の網特性を解析する網解析装置において、
前記基準信号の掃引範囲および掃引間隔を入力するための第一の入力手段と、
前記被測定物を合否判定するための判定円の半径と中心座標を入力するための第二の入力手段と、
前記掃引範囲と前記掃引間隔とから決定される測定点数個の要素を有し、入力される前記中心座標が該要素のそれぞれに格納される配列を記憶する第一の記憶手段と、
入力される前記半径を記憶する第二の記憶手段と、
前記被測定物の網特性を測定し、前記測定点数個の測定値を得る測定手段と、
前記測定点数個の要素を有し、得られる前記測定値が該要素のそれぞれに格納される配列を記憶する第三の記憶手段と、
前記第三の記憶手段から前記測定値を読み出し、該読み出した測定値に関連する前記中心座標を前記第一の記憶手段から読み出し、前記読み出した測定値と前記読み出した中心座標との差分値を求め、さらに前記第二の記憶手段から前記半径を読み出し、前記差分値と前記読み出した半径とを参照して、前記参照する差分値の大きさが前記参照する半径以下または前記参照する半径未満であれば前記読み出した測定値を合格と判定する判定手段と、
を備えることを特徴とする網解析装置。
【請求項４】
基準信号を周波数掃引または電力掃引させながら被測定物に印加する事により被測定物の網特性を解析する網解析装置において、
前記基準信号の掃引範囲および掃引間隔を入力するための第一の入力手段と、
前記被測定物を合否判定するための判定円の中心座標と半径を入力するための第二の入力手段と、
前記掃引範囲と前記掃引間隔とから決定される測定点数個の要素を有し、入力される前記中心座標が該要素のそれぞれに格納される配列を記憶する第一の記憶手段と、
前記測定点数個の要素を有し、入力される前記半径が該要素のそれぞれに格納される配列を記憶する第二の記憶手段と、
前記被測定物の網特性を測定し、前記測定点数個の測定値を得る測定手段と、
前記測定点数個の要素を有し、得られる前記測定値が該要素のそれぞれに格納される配列を記憶する第三の記憶手段と、
前記第三の記憶手段から前記測定値を読み出し、該読み出した測定値に関連する前記中心座標を前記第一の記憶手段から読み出し、前記読み出した測定値と前記読み出した中心座標との差分値を求め、さらに前記読み出した測定値に関連する前記半径を前記第二の記憶手段から読み出し、前記差分値と前記読み出した半径とを参照して、前記参照する差分値の大きさが前記参照する半径以下または前記参照する半径未満であれば前記読み出した測定値を合格と判定する判定手段と、
を備えることを特徴とする網解析装置。
【請求項５】
前記第三の記憶手段に記憶される配列の各要素に格納される測定値について、その全てが前記判定手段により合格と判定される時に、前記被測定物を合格と判定する、
ことを特徴とする請求項１乃至請求項４のいずれかに記載の網解析装置。
【請求項６】
前記掃引範囲のうちから判定対象の範囲を定める判定範囲を入力するための第三の入力手段を備え、
前記第三の記憶手段に記憶される配列の各要素に格納される測定値のうち前記第三の入力手段により入力される判定範囲内にある測定値について、その全てが前記判定手段により合格と判定される時に、前記被測定物を合格と判定する、
ことを特徴とする請求項１乃至請求項４のいずれかに記載の網解析装置。
【請求項７】
前記中心座標を極座標の原点とし、前記測定値または前記判定円を前記極座標上に表示する手段を備えることを特徴とする請求項１乃至請求項６のいずれかに記載の網解析装置。
【請求項８】
前記測定値を表示する時、前記測定値が合格か否かに応じて形状、模様または色彩を変えて表示することを特徴とする請求項７に記載の網解析装置。
【請求項９】
網解析装置において、
被測定物の網特性を測定する手段と
前記測定手段により測定された測定値が、中心座標と半径とにより表される判定円内に収まっているか否かを判定する手段と、
前記中心座標を極座標の原点とし、前記測定値または前記判定円を前記極座標上に表示する手段と、
を備えることを特徴とする網解析装置。
【請求項１０】
前記判定手段が、前記測定手段の測定値と前記中心座標値との差分値と求め、該差分値の大きさと前記半径とを比較することにより前記被測定物の網特性の合否を判定する手段である、
ことを特徴とする請求項９に記載の網解析装置。
【請求項１１】
基準信号を周波数掃引または電力掃引させながら被測定物に印加する事により被測定物の網特性を解析する網解析装置において、被測定物の合否判定を行う方法であって、
前記基準信号の掃引範囲および掃引間隔を入力するステップと、
前記被測定物を合否判定するための判定円の中心座標と半径を入力するステップと、
前記入力される中心座標を第一の記憶手段に記憶するステップと、
前記入力される半径を第二の記憶手段に記憶するステップと、
前記被測定物の網特性を測定し、前記掃引範囲と前記掃引間隔とから決定される測定点数個の測定値を得るステップと、
第三の記憶手段に記憶される配列の前記測定点数個の要素のそれぞれに前記得られる測定値を格納するステップと、
前記第三の記憶手段から前記測定値を読み出し、前記第一の記憶手段から前記中心座標を読み出し、前記読み出した測定値と前記読み出した中心座標との差分値を求め、さらに前記第二の記憶手段から前記半径を読み出し、前記差分値と前記読み出した半径とを参照して、前記参照する差分値の大きさが前記参照する半径以下または前記参照する半径未満であれば前記読み出した測定値を合格と判定するステップと、
を含むことを特徴とする合否判定方法。
【請求項１２】
基準信号を周波数掃引または電力掃引させながら被測定物に印加する事により被測定物の網特性を解析する網解析装置において、被測定物の合否判定を行う方法であって、
前記基準信号の掃引範囲および掃引間隔を入力するステップと、
前記被測定物を合否判定するための判定円の中心座標と半径を入力するステップと、
前記入力される中心座標を第一の記憶手段に記憶するステップと、
第二の記憶手段に記憶される配列の、前記掃引範囲と前記掃引間隔とから決定される測定点数個の要素のそれぞれに前記入力される半径を格納するステップと、
前記被測定物の網特性を測定し、前記測定点数個の測定値を得るステップと、
第三の記憶手段に記憶される配列の前記測定点数個の要素のそれぞれに前記得られる測定値を格納するステップと、
前記第三の記憶手段から前記測定値を読み出し、前記第一の記憶手段から前記中心座標を読み出し、前記読み出した測定値と前記読み出した中心座標との差分値を求め、さらに前記読み出した測定値に関連する前記半径を前記第二の記憶手段から読み出し、前記差分値と前記読み出した半径とを参照して、前記参照する差分値の大きさが前記参照する半径以下または前記参照する半径未満であれば前記読み出した測定値を合格と判定するステップと、
を含むことを特徴とする合否判定方法。
【請求項１３】
基準信号を周波数掃引または電力掃引させながら被測定物に印加する事により被測定物の網特性を解析する網解析装置において、被測定物の合否判定を行う方法であって、
前記基準信号の掃引範囲および掃引間隔を入力するステップと、
前記被測定物を合否判定するための判定円の中心座標と半径を入力するステップ、
第一の記憶手段に記憶される配列の、前記掃引範囲と前記掃引間隔とから決定される測定点数個の要素のそれぞれに前記入力される中心座標を格納するステップと、
前記入力される半径を第二の記憶手段に記憶するステップと、
前記被測定物の網特性を測定し、前記測定点数個の測定値を得るステップと、
第三の記憶手段に記憶される配列の前記測定点数個の要素のそれぞれに前記得られる測定値を格納するステップと、
前記第三の記憶手段から前記測定値を読み出し、該読み出した測定値に関連する前記中心座標を前記第一の記憶手段から読み出し、前記読み出した測定値と前記読み出した中心座標との差分値を求め、さらに前記第二の記憶手段から前記半径を読み出し、前記差分値と前記読み出した半径とを参照して、前記参照する差分値の大きさが前記参照する半径以下または前記参照する半径未満であれば前記読み出した測定値を合格と判定するステップと、
を含むことを特徴とする合否判定方法。
【請求項１４】
基準信号を周波数掃引または電力掃引させながら被測定物に印加する事により被測定物の網特性を解析する網解析装置において、被測定物の合否判定を行う方法であって、
前記基準信号の掃引範囲および掃引間隔を入力するステップと、
前記被測定物を合否判定するための判定円の中心座標と半径を入力するステップと、
第一の記憶手段に記憶される配列の、前記掃引範囲と前記掃引間隔とから決定される測定点数個の要素のそれぞれに前記入力される中心座標を格納するステップと、
第二の記憶手段に記憶される配列の前記測定点数個の要素のそれぞれに前記入力される半径を格納するステップと、
前記被測定物の網特性を測定し、前記測定点数個の測定値を得るステップと、
第三の記憶手段に記憶される配列の前記測定点数個の要素のそれぞれに前記得られる測定値を格納するステップと、
前記第三の記憶手段から前記測定値を読み出し、該読み出した測定値に関連する前記中心座標を前記第一の記憶手段から読み出し、前記読み出した測定値と前記読み出した中心座標との差分値を求め、さらに前記読み出した測定値に関連する前記半径を前記第二の記憶手段から読み出し、前記差分値と前記読み出した半径とを参照して、前記参照する差分値の大きさが前記参照する半径以下または前記参照する半径未満であれば前記読み出した測定値を合格と判定するステップと、
を含むことを特徴とする合否判定方法。
【請求項１５】
さらに、前記第三の記憶手段に記憶される配列の各要素に格納される測定値について、その全てが前記判定ステップにおいて合格と判定される時に、前記被測定物を合格と判定するステップを含むことを特徴とする請求項１１乃至請求項１４のいずれかに記載の合否判定方法。
【請求項１６】
さらに、
前記掃引範囲のうちから判定対象の範囲を定める判定範囲を入力するステップと、
前記第三の記憶手段に記憶される配列の各要素に格納される測定値のうち前記入力される判定範囲内にある測定値について、その全てが前記判定手段により合格と判定される時に、前記被測定物を合格と判定するステップと、
を含むことを特徴とする請求項１１乃至請求項１４のいずれかに記載の合否判定方法。
【請求項１７】
さらに、前記中心座標を極座標の原点とし、前記測定値または前記判定円を前記極座標上に表示するステップを含むことを特徴とする請求項１１乃至請求項１６のいずれかに記載の合否判定方法。
【請求項１８】
さらに、前記測定値を表示するステップにおいて、前記測定値を表示する時に、前記測定値が合格か否かに応じて形状、模様または色彩を変えて表示することを特徴とする請求項１７に記載の合否判定方法。
【請求項１９】
網解析装置において、被測定物の合否判定を行う方法であって、
被測定物の網特性を測定するステップと
前記測定ステップにおいて測定された測定値が、中心座標と半径とにより表される判定円内に収まっているか否かを判定するステップと、
前記中心座標を極座標の原点とし、前記測定値または前記判定円を前記極座標上に表示するステップと、
を含むことを特徴とする合否判定方法。
【請求項２０】
前記判定ステップが、前記測定手段の測定値と前記中心座標値との差分値と求め、該差分値の大きさと前記半径とを比較することにより前記被測定物の網特性の合否を判定することを特徴とする請求項１９に記載の合否判定方法。
【手続補正２】
【補正対象書類名】明細書
【補正対象項目名】００９９
【補正方法】変更
【補正の内容】
【００９９】
（実施態様２６）
さらに、
前記測定値を表示するステップにおいて、前記測定値を表示する時に、前記測定値が合格か否かに応じて形状、模様または色彩を変えて表示する、
ことを特徴とする実施態様２５に記載のプログラム。